(57)【要約】      （修正有）【課題】ＳＩＰサーバーによる通信をおこない、当該ＳＩＰサーバーに情報蓄積機能を持たせて着信履歴や音声、映像を保存することが可能なナースコールシステムを提供する。【解決手段】病室内の患者から呼出及び通話を行うナースコール子機と、前記ナースコール子機からの呼出を表示し、応答通話を行うナースコール親機及び携帯用ナースコール親機で構成されるナースコールシステムにおいて、前記ナースコール親機及び携帯用ナースコール親機は、内線同士を接続するＳＩＰサーバーによって相互に接続され、前記ＳＩＰサーバーは、ハードディスク、ＳＳＤ等の保存部を有し、前記保存部は、前記ナースコール子機からの呼出信号と呼出先を記憶して着信履歴として表示する。【選択図】図１
2010232758.tif 000002
【特許請求の範囲】
【請求項１】
病室内の患者から呼出及び通話を行うナースコール子機と、前記ナースコール子機からの呼出を表示し、応答通話を行うナースコール親機及び携帯用ナースコール親機で構成されるナースコールシステムにおいて、
前記ナースコール親機及び携帯用ナースコール親機は、内線同士を接続するＳＩＰサーバーによって相互に接続され、前記ＳＩＰサーバーは、ハードディスク、ＳＳＤ等の保存部を有し、
前記保存部は、前記ナースコール子機からの呼出信号と呼出先を記憶して着信履歴として表示することを特徴とするナースコールシステム。
【請求項２】
前記保存部は、前記携帯用ナースコール親機あるいは前記ナースコール親機が呼出に応答しなかったときに代理応答して患者の音声を録音して保存し、前記携帯用ナースコール親機あるいは前記ナースコール親機が録音内容の確認のために再生操作を行なったときに録音された患者の音声を再生することを特徴とする請求項１記載のナースコールシステム。
【請求項３】
病室にはカメラを備え、
前記保存部は、前記ナースコール子機からの呼出信号とともに前記カメラにて撮像した患者の映像信号を保存して前記携帯用ナースコール親機あるいは前記ナースコール親機からの要求信号に応じて出画を行なうことを特徴とする請求項１又は請求項２記載のナースコールシステム。
【発明の詳細な説明】
【技術分野】
【０００１】
本発明はナースコールシステムに係り、ＳＩＰサーバーによる通信をおこない、当該ＳＩＰサーバーに情報蓄積機能を持たせて着信履歴や音声、映像を保存することが可能なナースコールシステムに関する。
【背景技術】
【０００２】
従来のナースコールシステムは、ナースコール子機からの呼出に対してナースコール親機で応答して対応していたが、近年では携帯端末への呼び出しもおこなわれるようになっており、ナースコール親機が設置されるナースステーションに看護師がいなくても患者からの呼び出しに対応することが可能となってきている（例えば、特許文献１）。
これにより、担当の看護師がいつでも応答ができるため、便利である。
【先行技術文献】
【特許文献】
【０００３】
【特許文献１】特開２０００−２２４３２０号公報
【発明の開示】
【発明が解決しようとする課題】
【０００４】
しかしながら、従来のナースコールシステムでは、ナースコール子機からの呼出に応答できない場合の着信履歴が携帯端末にしか残らないため、あとで確認しようとしても、呼び出しが重複すると上書きされてしまい、確認できなくなってしまう。
また、画像データ等を送付されると携帯電話での保存が困難となるため、映像での確認が困難であった。
【０００５】
本発明は、この難点を解決するためになされたもので、交換機としてＳＩＰサーバーを用いた通信をおこない、当該ＳＩＰサーバーにハードディスク、ＳＳＤなどのストレージデバイスである保存部を持たせ、当該保存部に、着信履歴記憶及び表示機能、留守番電話機能、画像保存機能を備えることにより利便性の大きなナースコールシステムを提供することを目的とする。
【課題を解決するための手段】
【０００６】
上記課題を解決するために、請求項１に記載の発明は、病室内の患者から呼出及び通話を行うナースコール子機と、前記ナースコール子機からの呼出を表示し、応答通話を行うナースコール親機及び携帯用ナースコール親機で構成されるナースコールシステムにおいて、前記ナースコール親機及び携帯用ナースコール親機は、内線同士を接続するＳＩＰサーバーによって相互に接続され、前記ＳＩＰサーバーは、ハードディスク、ＳＳＤ等の保存部を有し、前記保存部は、前記ナースコール子機からの呼出信号と呼出先を記憶して着信履歴として表示することを特徴とする。
【０００７】
請求項２に記載の発明は、前記保存部は、前記携帯用ナースコール親機あるいは前記ナースコール親機が呼出に応答しなかったときに代理応答して患者の音声を録音して保存し、前記携帯用ナースコール親機あるいは前記ナースコール親機が録音内容の確認のために再生操作を行なったときに録音された患者の音声を再生することを特徴とする。
請求項３に記載の発明は、病室にはカメラを備え、前記保存部は、前記ナースコール子機からの呼出信号とともに前記カメラにて撮像した患者の映像信号を保存して前記携帯用ナースコール親機あるいは前記ナースコール親機からの要求信号に応じて出画を行なうことを特徴とする。
【発明の効果】
【０００８】
請求項１の発明によれば、ＳＩＰサーバーに保存部を設けることにより着信履歴表示に使用できるため、低コストでナースコールシステムに着信履歴表示機能を付加することができ、呼出に応答できなかった場合でも誰が呼出を行なったのかをあとから確認することができる。
【０００９】
また、請求項２の発明によれば、保存部を留守番電話に使用できるため、呼出に応答できなかった場合でもどのような用件で呼出を行なったのかをあとから確認することができる。
さらに、請求項３の発明によれば、保存部を映像信号の記憶に使用できるため、呼出に応答できなかった場合でも呼出者がどのような状態であったかをあとから画像で確認することができる。
【発明を実施するための最良の形態】
【００１０】
以下、本発明によるナースコールシステムを適用した好ましい形態の実施例について、図１を参照して説明する。
図１は、本発明によるナースコールシステムのブロック図であり、患者が看護師を呼び出すためのナースコール子機１、ナースコール子機１の呼び出しを報音させて応対するためのナースコール親機２、看護師が携行し、ナースコール子機１からの呼び出しに応答するための携帯用ナースコール親機３、ナースコール子機１、ナースコール親機２と携帯用ナースコール親機３とで通信をおこなうためのＳＩＰサーバー４、病室に設置され、呼出時に撮像をおこなうカメラ５、患者情報を表示するとともにナースコール子機１とナースコール親機２間を接続するための廊下灯６、携帯用ナースコール親機３との無線通信を実現するための無線送受信機７とから構成されている。
【００１１】
ナースコール子機１は、患者が操作する呼出ボタン１０２、呼出音を報音し、看護師と通話するための子機音響部１０３、廊下灯６と通信するための子機ＩＦ１０４から構成されている。
ナースコール親機２は、患者情報が表示される親機モニタ２０１、通話を開始するための通話ボタン２０３、呼出音を報音し、患者と通話するための親機音響部２０４、ＳＩＰサーバー４と通信するための親機送受信回路２０５、ナースコール親機２の各回路を制御するための親機ＣＰＵ２０６、廊下灯６と通信するための親機ＩＦ２０９から構成されている。
【００１２】
携帯用ナースコール親機３には、カメラ５からの映像信号を出力する増設親機モニタ３０１と、ナースコール子機１から呼出された時に応答するための通話ボタン３０３と、ナースコール子機１と通話するための携帯親機音響部３０４と、ＳＩＰサーバー４とのインターフェースである携帯親機送受信回路３０５と、携帯用ナースコール親機を制御する携帯親機ＣＰＵ３０６で構成されている。
【００１３】
ＳＩＰサーバー４には、ナースコール子機１、ナースコール親機２と携帯用ナースコール親機３間を内線電話として通信するための２つの内線入出力回路４０１、ＳＩＰサーバー４の各回路を制御するためのサーバーＣＰＵ４０２、着信履歴や音声、映像を保存するための保存部（ハードディスク）４０３から構成されている。
なお、廊下灯６には、病室周辺の映像を撮像するカメラ５が接続されている。
【００１４】
このようなナースコールシステムにおいて、以下、動作説明を行う。
まずは、第１の実施例として、通常のナースコール子機１からの呼出、通話を説明する。
ナースコール子機１の呼出ボタン１０２が押されると、呼出信号は子機Ｉ／Ｆ１０４、廊下灯６を経てナースコール親機２へ送られる。ナースコール子機１から送られてきた呼出信号は、親機Ｉ／Ｆ２０９を経由して親機ＣＰＵ２０６に送られ、親機音響部２０４から呼出音が鳴動される。これと同時に、ナースコール親機２の親機ＣＰＵ２０６は、呼出信号を親機送受信回路２０５からＳＩＰサーバー４に発信し、ＳＩＰサーバー４のサーバーＣＰＵ４０２は、内線入出力回路４０１を介してナースコール親機からの呼出信号を受信すると、呼出先の携帯用ナースコール親機を特定し、内線入出力回路４０１を介して呼出信号を送信するとともに、ハードディスク４０３で呼出元、呼出先、呼出時間等の呼出履歴を記録する。
【００１５】
この呼出信号を無線送受信機７、携帯親機送受信回路３０５を介して受信した携帯用ナースコール親機３は、携帯親機ＣＰＵ３０６の制御により携帯親機音響部３０４から呼出音が鳴動される。
この時、ナースコール親機２の通話ボタン２０３を押すと、ナースコール親機２の親機音響部２０４から入力された音声をナースコール子機１の子機音響部１０３に出力し、ナースコール子機１とナースコール親機２の双方向通話が行われるとともに、親機ＣＰＵ２０６は、呼出終了信号を親機送受信回路２０５からＳＩＰサーバー４に発信し、ＳＩＰサーバー４のサーバーＣＰＵ４０２は、内線入出力回路４０１を介してナースコール親機からの呼出終了信号を受信すると、内線入出力回路４０１を介して呼出信号の送信を停止する。
また、この時、携帯用ナースコール親機３の通話ボタン３０３を押すと、携帯用ナースコール親機３の携帯親機音響部３０４から入力された音声をナースコール子機１の子機音響部１０３に出力し、ナースコール子機１と携帯用ナースコール親機３の双方向通話が行われる。
【００１６】
通話が終了した後、ナースコール親機２あるいは携帯用ナースコール親機３のいずれかで呼出履歴表示操作を行なうと、呼出履歴要求信号がＳＩＰサーバー４の内線入出力回路４０１を介してサーバーＣＰＵ４０２にて受信され、サーバーＣＰＵ４０２の制御によりハードディスク４０３に保存された呼出元、呼出先、呼出時間等の呼出履歴を読み出して、当該ナースコール親機２あるいは携帯用ナースコール親機３に表示することができる。
次に、第２の実施例として、ＳＩＰサーバー４に留守番電話機能がある場合について説明する。
【００１７】
前述の例で、ナースコール子機１からの呼出信号を受信したＳＩＰサーバー４のサーバーＣＰＵ４０２は、ナースコール親機２から呼出終了信号が受信できず、かつ、携帯用ナースコール親機３が呼出に応答しないことを検出すると、留守番電話機能を起動し、ナースコール子機１に要件を尋ねる。このとき、ナースコール子機１の子機音響部１０３から伝えられた音声メッセージは、廊下灯６、ナースコール親機２を介してＳＩＰサーバー４に送信され、ＳＩＰサーバー４のサーバーＣＰＵ４０２の制御によりハードディスク４０３に保存される。その後、ナースコール親機２及び携帯用ナースコール親機３に対して留守番メッセージ保存信号を送出する。これにより、看護師は患者からの留守番メッセージが保存されていることを確認することができる。
【００１８】
ナースコール親機２あるいは携帯用ナースコール親機３のいずれかで留守番メッセージ再生操作を行なうと、留守番メッセージ要求信号がＳＩＰサーバー４の内線入出力回路４０１を介してサーバーＣＰＵ４０２で受信され、サーバーＣＰＵ４０２の制御によりハードディスク４０３に保存されたナースコール子機１から伝えられた音声メッセージを読み出して、当該ナースコール親機２あるいは携帯用ナースコール親機３に出力することができる。
【００１９】
第２の実施例の応用例として、ＳＩＰサーバー４のサーバーＣＰＵ４０２は、ナースコール子機１と携帯用ナースコール親機３との間で成立している通話を留守番メッセージと同様にハードディスク４０３に保存することも可能である。この場合には留守番メッセージ保存信号を送出しないが、ナースコール親機２あるいは携帯用ナースコール親機３のいずれかで留守番メッセージ再生操作を行なうと、第２の実施例と同様に、ナースコール子機１と携帯用ナースコール親機３との間の通話内容を読み出して、当該ナースコール親機２あるいは携帯用ナースコール親機３に出力することができる。
次に、第３の実施例として、病室にカメラ５があり、映像信号を伝送する場合について説明する。
【００２０】
前述の例で、ナースコール子機１からの呼出信号を受信した親機ＣＰＵ２０６の制御により、映像出画要求信号を廊下灯６に送信してカメラ５を起動させ、映像出画要求信号を受信したカメラ５によって映像信号が送信される。映像信号を受信した呼出音鳴動中の親機ＣＰＵ２０６は、親機モニタ２０１に映像信号を出画させるとともに、映像信号を呼出信号と同様の経路でＳＩＰサーバー４に送出する。
【００２１】
ＳＩＰサーバー４はナースコール親機２からの映像信号を、呼出信号と同様の経路で携帯用ナースコール親機３に送信するとともに、当該映像信号をハードディスク４０３に保存する。この映像信号を受信した携帯用ナースコール親機３は、親機ＣＰＵ３０６の制御によりパケット信号から映像信号を復号して、増設親機モニタ３０１に映像信号を出画させる。
【００２２】
ナースコール親機２あるいは携帯用ナースコール親機３のいずれかで映像再生操作を行なうと、映像要求信号がＳＩＰサーバー４の内線入出力回路４０１を介してサーバーＣＰＵ４０２に到達し、サーバーＣＰＵ４０２の制御によりハードディスク４０３に保存された映像を読み出して、当該ナースコール親機２あるいは携帯用ナースコール親機３に出力することができる。
【図面の簡単な説明】
【００２３】
【図１】本発明にかかるナースコールシステムの実施例を示すブロック図
【符号の説明】
【００２４】
１・・・          ナースコール子機
２・・・          ナースコール親機
２０１・・・             表示部
３・・・          携帯用ナースコール親機
４・・・          ＳＩＰサーバー
４０３・・・             保存部（ハードディスク）
５・・・          カメラ
【図１】
2010232758.tif 000003